(57)【要約】【課題】  立設した状態の既設の中空柱の補強を行う際の、アラミドロッドを所定の位置への配置を容易かつ効率的に行うことを補助することを可能とする。【解決手段】  本発明のロッド保持リング１は、保持するアラミドロッドＬの外周長より若干長いワイヤリング１１の両端にそれぞれ接続端子１３を設け、ワイヤを環状に湾曲させると共に、これら両端の接続端子１３をネジ先端を外側方向に向けて突出させた締結用ネジで締結したことを特徴とする。【選択図】図１
2008196167.tif 000002
【特許請求の範囲】
【請求項１】
保持するロッドの外周長より若干長い可撓性を有するワイヤの両端にそれぞれ接続端子を設け、ワイヤを環状に湾曲させると共に、これら両端の接続端子を棒状体先端を環状の外側方向に向けて突出させた締結部材で締結したことを特徴とするロッド保持リング。
【請求項２】
ロッドを挿脱自在に保持し得る内径の環状体であって、該環状体は環状の外側方向に向けたネジ部材を外周部に設けた基部側リングと、この基部側リングと揺動自在に連結される先端側リングと、該先端側リングの揺動を規制する弾性部材により構成されことを特徴とするロッド保持リング。
【請求項３】
立設された中空柱の内部に複数本のロッドと充填材とを投入して当該中空柱を補強する際に、前記ロッドを保持して当該ロッドを中空柱内部で所定の間隔で配置するときのロッド保持リング付ロッド配置用治具であって、
環状のロッド配置用治具本体と、
この環状のロッド配置用治具本体外周に所定の間隔で複数取り付けられる変形可能な環状体からなるロッド保持リングと
を有することを特徴とするロッド保持リング付ロッド配置用治具。
【請求項４】
前記ロッド保持リングは、ロッド配置用治具本体の外周に等間隔に複数取り付けられることを特徴とする請求項３に記載のロッド保持リング付ロッド配置用治具。
【請求項５】
前記ロッド保持リングは、ロッド配置用治具本体の外周に線対称で、かつ部分的に配置間隔を離間させて複数取り付けられることを特徴とする請求項３に記載のロッド保持リング付ロッド配置用治具。
【請求項６】
前記ロッド保持リングは、請求項１または請求項２に記載のロッド保持リング
であることを特徴とする請求項３乃至５のいずれかに記載のロッド保持リング付ロッド配置用治具。
【発明の詳細な説明】
【技術分野】
【０００１】
本発明は、各種鋼管柱やコンクリート柱等の中空柱の補強を立設した状態で行う際に、中空柱内部に配設されるロッドを保持するロッド保持リングとこのロッド保持リングを取り付けたロッド保持リング付ロッド配置用治具に関する。
【背景技術】
【０００２】
従来から鋼管柱やコンクリート柱等の中空柱は、通常は中空柱の基端部の所定長部分が地中深く埋設されて強固に立設されおり、また中空柱上部、昼間部には架線や、投光器、さらにはトランス等が多数取り付けられるため、その立て替えは容易ではない。
【０００３】
一方、このような中空柱は、中空柱の設置環境や経年変化などにより材質等が劣化し、強度が低下する可能性のあることが指摘されることもあった。そのため、中空柱は定期的に点検され、点検の結果、補強や立て替えが行われる必要が生じることもある。
【０００４】
例えば、特許文献１では中空柱としてのコンクリート製の電柱の地際から１ｍ程上方の電柱側面に形成された側面開口部から中空柱の内部に補強材としてのアラミドロッドを複数本、挿入したのち、複数本のアラミドロッドを治具等により均等に配置し、次にこれらアラミドロッドの隙間に例えば豆砂利や砕石を投入し、更にモルタルやコンクリートなどを順次投入し、これにより中空柱の最下端部から側面開口部付近までを補強するようにしている。
【特許文献１】特願２００３−２４１７６号
【発明の開示】
【発明が解決しようとする課題】
【０００５】
上述したように、従来のコンクリート製の電柱の補強方法では、電柱の地際から１ｍ程上方の電柱側面に形成された側面開口部等を用いて、複数本の補強材としてのアラミドロッドを電柱の中空内に投入し、該アラミドロッドを中空内部で均等に配置し、さらにモルタル等の充填材を中空内部に充填して、電柱を補強するようにしている。
【０００６】
このアラミドロッドの均等配置は、常に中空柱の内壁面に沿って、アラミドロッドが均等に配置されることが望まれている。例えば、コンクリート製の電柱の場合、通常は中空柱上端部から下端部側に向かって外径が太くなっていく、いわゆるテーパー柱であり、また内部もテーパー状態である。しかしながら、このようなテーパー柱であっても同様に、補強用に挿入するアラミドロッドを該ロッドの上端から下端まで中空柱のテーパー状の内壁面に沿うように配置し中空柱のより強固な補強を確保することが望まれている。
【０００７】
そのため、アラミドロッドの配置位置（径）の異なるロッド配置用補助治具をアラミドロッドの長さ方向に複数配置することで、すなわち径の大きなロッド配置用補助治具を下部に、径の小さなロッド配置用補助治具を上部に配置することで、複数本のアラミドロッドを中空柱の長手方向及び断面方向において最適位置に配置した後に、モルタル等の充填材を中空内部に充填する施工が知られる。
【０００８】
図９に従来のロッド配置用治具の構成を示す。従来のロッド配置用治具１０１は、帯状の鋼をリング状に形成しフレーム１０５とし、このフレーム１０５に帯状の鋼をフレーム１０５より小さめのリング状に形成したロッド保持リング１０３を溶接により固定して構成される。このロッド保持リング１０３によりロッドを均等に配置するようにしている。
【０００９】
しかしながら、中空柱に設けられる側面開口は、そもそも中空柱の強度に影響を与えてはならないことから、必要最小限の開口となるように、例えばコンクリート製電柱の場合、コンクリート内部の配筋間に開口を設けるように施工されていた。そのため中空柱内部に収容されるアラミドロッドの長さや種類、さらにはロッド配置用治具は、大きさや構成が極端に制限されている。また中空柱内部にはノロ等の突出物等の存在がしられ、これらも同様に施工の妨げになる可能性が指摘されることがあった。
【００１０】
本発明は、上記に鑑みてなされたもので、その目的とするところは、立設した状態の既設の中空柱の補強を行う際の、アラミドロッドを所定の位置への配置を容易かつ効率的に行うことを補助することを可能とするロッド保持リングおよび該ロッド保持リング付ロッド配置用治具を提供することにある。
【課題を解決するための手段】
【００１１】
上記の課題を解決するために、請求項１記載の発明は、保持するロッドの外周長より若干長い可撓性を有するワイヤの両端にそれぞれ接続端子を設け、ワイヤを環状に湾曲させると共に、これら両端の接続端子を棒状体先端を環状の外側方向に向けて突出させた締結部材で締結したことを要旨とする。
【００１２】
請求項１のロッド保持リングは、ロッドを保持するワイヤが可撓性を有することから、常態では環状を維持するも、障害物等に対してはワイヤで構成されていることから柔軟に回避することができる。またワイヤ両端を接続端子で接続する締結部材は、外側突出部分の棒状体部分を利用してロッド配置用治具への取り付けに供される。    
また請求項２記載の発明は、ロッドを挿脱自在に保持し得る内径の環状体であって、該環状体は環状の外側方向に向けたネジ部材を外周部に設けた基部側リングと、この基部側リングと揺動自在に連結される先端側リングと、該先端側リングの揺動を規制する弾性部材により構成されることを要旨とする。
【００１３】
請求項２のロッド保持リングは、ロッドを保持する環状体が、その先端側リングが揺動自在に、かつ揺動が弾性部材により規制されることから常態では環状を維持し、障害物等に対しては柔軟に回避することができる。またネジ部材によりロッド配置用治具に取り付けが容易である。
【００１４】
また請求項３の発明は、立設された中空柱の内部に複数本のロッドと充填材とを投入して当該中空柱を補強する際に、前記ロッドを保持して当該ロッドを中空柱内部で所定の間隔で配置するときのロッド保持リング付ロッド配置用治具であって、環状のロッド配置用治具本体と、この環状のロッド配置用治具本体外周に複数取り付けられる変形可能な環状体からなるロッド保持リングとを有することを要旨とする。
【００１５】
請求項３のロッド保持リング付ロッド配置用治具は、当該ロッド配置用治具に取り付けられるロッド保持リングが変形可能な環状体であることから、例えば電柱側面に設けられた小さな開口から電柱内部への挿入が容易になると共に障害物等に対しても柔軟に回避することができる。
【００１６】
また請求項４の発明は、前記請求項３に記載のロッド保持リング付ロッド配置用治具のロッド保持リングは、ロッド配置用治具本体の外周に等間隔に複数取り付けられることを要旨とする。
【００１７】
請求項４のロッド保持リング付ロッド配置用治具は、ロッド配置用治具本体の外周に等間隔に複数取り付けられることから、中空柱を全周に渉って均一に補強することができる。
【００１８】
また請求項５の発明は、前記請求項３に記載のロッド保持リング付ロッド配置用治具のロッド保持リングは、ロッド配置用治具本体の外周に線対称で、かつ部分的に配置間隔を離間させて複数取り付けられることを要旨とする。
【００１９】
請求項５のロッド保持リング付ロッド配置用治具は、ロッド配置用治具本体の外周に線対称で、かつ部分的に配置間隔を離間させて複数取り付けられることから効率的に補強に方向性を持たせることが可能となる。そのため局部的に特に補強が求められる中空柱に対しても効率良く対応することができる。
【００２０】
さらに請求項６の発明は、前記請求項３乃至５のいずれかに記載のロッド保持リング付ロッド配置用治具のロッド保持リングが、請求項１または請求項２に記載のロッド保持リングであることを要旨とする。
【００２１】
請求項６のロッド保持リング付ロッド配置用治具にあっては、適宜、最適なロッド保持リングを選択できる。
【発明の効果】
【００２２】
本発明によれば、ガイド棒、アラミドロッド等の棒状体を中空柱内の所定の位置に配置する際の作業を手際良くかつ効率的に行うことができ、これにより既設の中空柱を立設した状態のままで容易にかつ効果的に補強することができる。
【発明を実施するための最良の形態】
【００２３】
以下、本発明の実施の形態を図面を参照して説明する。
【００２４】
図１は、本発明に係るワイヤ型ロッド保持リングの構成を示す斜視図であり、図２は同正面図である。図１及び図２を参照するに、本実施形態のワイヤ型ロッド保持リング１は、可撓性を有するワイヤ、例えば撚り線等のワイヤを、保持するアラミドロッドＬの外周長より若干長く形成したワイヤリング１１と、このワイヤリング１１の両先端にカシメ若しくは圧着等により固設した接続端子１３ａ、１３ｂを締結具１５で締結して構成される。
【００２５】
ここでは締結具１５は、雄ねじ１５ａと雌ねじ１５ｂとからなる締結部材であるが、ボルトとナットあるいはリベットとカシメ等によるものであっても良い。また雄ねじ１５ａは、その頭側をワイヤリング１１を環状に湾曲させた円形面で内側に、先端側を同外側に向けるようにし、この外側向きに突出させたネジで後述するロッド配置用治具３に固定する。
【００２６】
次に、図３を参照して、ワイヤ型のロッド保持リング付ロッド配置用治具（以下、単にロッド配置用治具とも略記する）３の構成を説明する。図３に示すロッド配置用治具３は、樹脂製であるが、帯状の鉄等を溶接により形成した金属製であっても良い。
【００２７】
円形状の外側の本体フレーム３１の内側には円形状のガイド棒用フレーム３３が腕部３５により保持され、このガイド棒用フレーム３３の両側に吊り下げ用フック３７が設けられている。この吊り下げ用フック３７は、片側が上向きであり、他方は下向きである。つまり図４にも示すように上向きの吊り下げ用フック３７はロッド配置用治具３自身を吊り下げるためのものであり、他方の下向きの吊り下げ用フック３７は例えば電柱Ｐ内部の障害物ＢやロッドＬの配置状態を観察するカメラＣや各種治具等を吊り下げるためのものである。
【００２８】
また、ロッド配置用治具３の外周には、等間隔に３個のワイヤ型ロッド保持リング１がネジ留めされる。このワイヤ型ロッド保持リング１の個数は、施工の際に使用するアラミドロッドの本数によって決定される。
【００２９】
次に図４を参照して、ワイヤ型のロッド保持リング付ロッド配置用治具３を用いて３本のロッドを配置したときの電柱Ｐ内部の状態を説明する。
【００３０】
この図４では、ロッド配置用治具３のガイド棒用フレーム３３の中心孔に挿通されたガイド棒３３Ｌに案内されて、ロッド配置用治具３が吊り下げ用ワイヤ３１Ｗによって吊り下げられている。また、このロッド配置用治具３の下向きの吊り下げ用フック３７にはカメラＣが吊り下げられている。さらにワイヤ型ロッド保持リング１には、アラミドロッドＬがそれぞれ保持され、最適に位置に配置されている。この状態はカメラＣや電柱側面に設けられた作業用開口部Ｈからも観察が可能である。
【００３１】
次に、図５を参照して、ワイヤ型ロッド保持リングの変形によって障害物を回避する状態について説明する。図５において障害物Ｂ１、障害物Ｂ２は作業用開口部Ｈからロッド配置用治具３を電柱内部に挿入する際のワイヤ型ロッド保持リング１の変形状態を示し、障害物Ｂ３は既に挿入されているアラミドロッドＬや鉄筋、あるいは電柱内壁から突出する鉄筋やノロ等の障害物であり、これら障害物Ｂ３による変形状態を示すものである。
【００３２】
次に、上述したワイヤ型ロッド保持リング１とは異なる形状のロッド保持リングを用いた他の実施形態について説明する。図６に示すスプリング型ロッド保持リング５は、直径数ミリから７，８ミリ程度の鋼線、鋼製パイプ、若しくは樹脂製の棒状体によりほぼ円環状に構成されており、その内径はアラミドロッドＬを挿脱自在に保持し得る径となっている。
【００３３】
また、この円環状体は基部側リング５１ａと先端側リング５１ｂにより構成される。基部側リング５１ａには、その円環状体の外側方向に突出させてネジ部材が連結用雄ねじ５５として設けられる。スプリング型ロッド保持リング５は、この連結用雄ねじ５５によりロッド配置用治具３に固定される。
【００３４】
先端側リング５１ｂは、基部側リング５１ａと揺動自在に連結され、またこの揺動は弾性部材により構成されるスプリングワイヤ５３により規制される。このスプリングワイヤ５３の先端は、基部側リング５１ａと先端側リング５１ｂの先端をそれぞれ貫通するスプリングワイヤ取り付け孔５１ｃに挿通され、基部側リング５１ａと先端側リング５１ｂとを連結する。さらに、スプリングワイヤ５３は、図７に示されるように先端側リング５１ｂの先端が垂れ下がる揺れ動く揺動（図６中、矢印Ｍｄで示す）を規制し（図７中、矢印Ｍｕで示す）、つまり図６に示されるように基部側リング５１ａと先端側リング５１ｂとが水平を保持するように、スプリングワイヤ５３の中間部分が先端側リング５１ｂの先端部分を巻回している。
【００３５】
次に図８を参照して、作業用開口部Ｈから電柱内にロッド配置用治具７を挿入する際の作用について説明する。
【００３６】
図８に示すロッド配置用治具７は、６個のスプリング型ロッド保持リング５をロッド配置用治具７の外周に線対称で、かつ部分的に配置間隔を離間させて、つまり３個づつ左右に振り分けて取り付けたものである。
【００３７】
通常、補強される電柱等は上部の架線等により架線方向の加重が掛かる可能性があり、これにより経年変化にも方向性が生じる。本実施形態のロッド配置用治具７は、このような方向性をもった経年変化に対応するもので、補強に方向性を持たせることが可能となりロッド等を効率的に配置することが可能となる。
【００３８】
図８に示す例では、作業用開口部Ｈの開口向きに合わせてロッド配置用治具７を縦方向に立てて挿入するようにしている。しかしながら、作業用開口部Ｈは中空柱の強度に影響を与えてはならないことから、必要最小限の開口大きさとなるように、例えばコンクリート製電柱の場合、コンクリート内部の配筋間に開口されている。
【００３９】
そのため作業用開口部Ｈの開口大きさは、場合によっては著しく制限されることもあり、中空柱の内径に適合する大きさのロッド配置用治具７を作業用開口部Ｈから中空柱内部に挿入することが出来ない場合も想定される。そこで本実施形態のロッド配置用治具７では、取り付けられた６個のスプリング型ロッド保持リング５を作業用開口部Ｈの大きさに合わせて、適宜、先端側リング５１ｂの先端部分を折り畳んで中空柱内部に挿入するようにしている。挿入後、先端側リング５１ｂの先端部分はスプリングワイヤ５３の弾性により基部側リング５１ａと先端側リング５１ｂとは水平になり、スプリング型ロッド保持リング５へのアラミドロッドＬの挿入が容易となり、アラミドロッドＬの最適配置も効率良く行うことが可能となる。
【００４０】
以上、上述してきた中空柱としては各種鋼管柱（テーパーの無い鋼板柱、テーパーのあるパンザマスト（鋼板組立柱））やコンクリート柱（テーパーの有る電柱やテーパーのないコンクリート柱）が含まれるのは言うまでも無いことである。
【００４１】
このように、本発明はここでは記載していない様々実施の形態等を包含するということは十分に理解すべきである。
【図面の簡単な説明】
【００４２】
【図１】本発明のワイヤ型ロッド保持リングの構成を示す斜視図である。
【図２】本発明のワイヤ型ロッド保持リングの構成を示す正面図である。
【図３】ワイヤ型のロッド保持リング付ロッド配置用治具の構成を示す斜視図である。
【図４】電柱内部においてワイヤ型のロッド保持リング付ロッド配置用治具を用いてロッドを配置した状態を示す図である。
【図５】障害物によるワイヤ型ロッド保持リングの変形状態を示す図である。
【図６】スプリング型ロッド保持リングの構成を示す斜視図である。
【図７】スプリング型ロッド保持リングの作用を説明する斜視図である。
【図８】スプリング型ロッド保持リングを電柱内に挿入する様子を示す図である。
【図９】従来のロッド配置用治具の構成を示す斜視図である。
【符号の説明】
【００４３】
１…ワイヤ型ロッド保持リング
３…ロッド配置用治具
５…スプリング型ロッド保持リング
７…ロッド配置用治具
１１…ワイヤリング
１３…接続端子
１５…締結具
３１…本体フレーム
３３…ガイド棒用フレーム
３３Ｌ…ガイド棒
３５…腕部
３７…吊り下げ用フック
３７Ｗ…吊り下げ用ワイヤ
５１…保持リング
５１ａ…基部側リング
５１ｂ…先端側リング
５１ｃ…ワイヤ取り付け孔
５３…スプリングワイヤ
５５…連結用雄ねじ
１０１…ロッド配置用治具
１０３…ロッド保持リング
１０５…フレーム
Ｂ…障害物
Ｃ…カメラ
Ｈ…作業用開口部
Ｌ…アラミドロッド
Ｐ…電柱
【図１】
2008196167.tif 000003
【図２】
2008196167.tif 000004
【図３】
2008196167.tif 000005
【図４】
2008196167.tif 000006
【図５】
2008196167.tif 000007
【図６】
2008196167.tif 000008
【図７】
2008196167.tif 000009
【図８】
2008196167.tif 000010
【図９】
2008196167.tif 000011